(57)【要約】固定クランプが、異なった膨張特性を備えたプレートを結合するために用いられ、このために、支持プレート（１５）の長方形の開口（１６）に、プレート縁部（１９）に対して平行に摺動されるように組み付けられる。固定クランプは、ばね薄板から成る正方形のベースプレート（１）から成っており、このベースプレート（１）は、中央に配置された、ねじをねじ嵌めるためのねじ山付きスリーブ（２）有している。前側の横方向縁部（３）では、２つの横方向ウェブ（５）が、ねじ山付きスリーブ（２）と同じ方向に曲げ上げられ、次いで、２つのクランプ脚部（６）が、スリーブから離れてベースプレート（１）に対して平行に折り曲げられ、前記クランプ脚部（６）が、支持プレート（１５）の開口（１６）に挿入可能になっており、この支持プレート（１５）の背面にクランプ固定可能になっている。向かい側に位置する後側の横方向縁部（４）では、別のクランプ脚部（１０）が曲げ上げられ、このクランプ脚部（１０）は、前記前側のクランプ脚部（６）と同じ方向に向けられており、同時に、外側からプレート縁部（１９）にクランプ固定可能になっている。長方形の開口（１６）でクランプを横方向摺動するように案内するためには、ベースプレート（１）に設けられたねじ山付きスリーブ（２）の両側にばねウェブ（１３）が切り込まれており、クランプ脚部（６）と同じ方向に斜めに曲げ上げられている。ばねウエブ（１３）の終端範囲（１４）はベースプレート（１）までほぼ垂直方向に下方へ曲げられており、この場合に、前記終端範囲（１４）と横方向ウェブ（５）との間の間隔“Ａ”は、次のように寸法取りされている、すなわち、前側のクランプ脚部（６）が開口（１６）の長手方向縁部（１７）に接触した場合に、ばねウェブ（１３）が開口（１６）に進入するように寸法取りされている。
2005507482.tif 000002
【特許請求の範囲】
【請求項１】
異なった膨張特性を備えた複数のプレートを結合するための固定クランプであって、該固定クランプを摺動するように収容するための支持プレート（１５）に、プレート縁部（１９）に対して平行に、長方形の開口（１６）が設けられている形式のものにおいて、前記固定クランプが、ばね薄板より成る長方形のベースプレート（１）から成っており、該ベースプレート（１）に、中央に配置されたねじ山付きスリーブ（２）と、両方の横方向縁部（３，４）に一体成形された、同じ方向に向けられたクランプ脚部（６，１０）とが設けられており、該クランプ脚部のうち、前側の横方向縁部（３）に設けられたクランプ脚部（６）が、支持プレート（１５）の開口（１６）に挿入可能になっており、かつ前記支持プレート（１５）の背面にクランプ固定可能になっており、向かい側に位置する後側の横方向縁部（４）に設けられた前記クランプ脚部（１０）が、同時に外側からプレート縁部（１９）にクランプ固定可能になっており、さらに、ベースプレート（１）に設けられたねじ山付きスリーブ（２）の両側に切り込まれたばねウェブ（１３）が、クランプ脚部（６）と同じ方向に斜めに曲げ上げられており、かつ終端範囲（１４）でベースプレート（１）の高さまでほぼ垂直に下方へ曲げられており、終端範囲（１４）と、前側のクランプ脚部（６）の横方向ウェブ（５）との間の間隔“Ａ”が、長方形の開口（１６）の両方の長手方向縁部（１７，１８）の間の内法間隔“Ｂ”に等しいか、又はわずかに小さく形成されていることを特徴とする、異なった膨張特性を備えた複数のプレートを結合するための固定クランプ。
【請求項２】
ねじ山付きスリーブ（２）と後側のクランプ脚部（１０）との間に、ベースプレート（１）の中央から別のばね脚部（２１）が打抜き加工されており、後側のクランプ脚部（１０）と同じ方向へ曲げ上げられており、前記ばね脚部（２１）のばね弾性的に負荷可能な自由な端部（２２）に、ほぼ半球状の球欠（２３）が、クランプ脚部（１０）の方向に突出している、請求項１記載の固定クランプ。
【請求項３】
球欠（２３）に、プレート縁部（１９）に設けられた対応する凹設部（２４）が対応配置されており、該凹設部（２４）に、前記球欠（２３）が、固定クランプの所定の組付け位置で係止するようになっている、請求項２記載の固定クランプ。
【発明の詳細な説明】
【技術分野】
【０００１】
本発明は、異なった膨張特性を備えたプレートを結合するための固定クランプであって、この固定クランプを、摺動するように収容するための支持プレートに、プレート縁部に対して平行に長方形の開口が設けられている形式のものに関する。
【０００２】
この形式の固定クランプは、例えば自動車産業では、プラスチックから成るフェンダを金属の支持薄板に結合するために用いられる。プラスチックフェンダの膨張係数は、金属支持体の膨張係数よりも大きいので、固定エレメントは、長孔に設けられた横方向摺動される埋込み部材により、温度変化時にはフェンダと支持薄板との間の相対的な位置変化に適合され得るようになっている。
【０００３】
欧州特許第０７９９７５８号明細書につき、プラスチックから成る前記形式の固定クランプが公知である。この固定クランプでは、固定装置開口を覆うベースプレートが、前記固定装置開口に埋込み可能な滑り部材に結合されており、この滑り部材は、前記開口内で横方向摺動されるように案内され、弾性的なばねエレメントにより平衡状態に保たれる。案内は、長手方向側にフェンダプレートの厚さの間隔を置いて一体成形された脚部によって行われ、この脚部は、長孔の縁部に後ろから係合する。滑り部材を開口内に挿入することができるように、長手方向側にはただ１つの脚部が一体成形されており、この脚部は、開口縁部に設けられた対応する大きさの切欠きに挿入可能になっている。滑り部材を埋め込むためには、前記脚部はまず切欠きに挿入され、次いで固定位置へ側方に押し込まれるようになっている。次いで、貫通孔を設けられた固定クランプは、長方形の開口の横方向縁部で支持された弾性的なばねエレメントによって、前記固定位置に保持される。
【０００４】
前記固定クランプは、実際には有用性が実証されなかったようである。その原因は、滑り部材の挿入脚部が、温度に基づいた補償運動に応じて、長方形の開口の縁部に設けられた切欠き内へ摺動され、この場合に、滑り部材が開口から飛び出す恐れがあるからかもしれない。側縁に一体成形された弾性的なばねエレメントも、時間と共に弾性を失い、クランプは前組付け時にはもはや自動的に所定の固定位置に保持されなくなり、それ故、さらなる結合の形成が困難になってしまう。
【０００５】
そこで本発明の課題は、固定クランプを次のように形成することである、すなわち、固定開口内に簡単に挿入することができ、この場合に、それぞれの側方の摺動時に確実に保持されるように形成することである。この課題を解決するためには、請求項に記載の特徴を備えた固定クランプが提案される。これにより、クランプを簡単な手段で薄板ブランクから成形し、同時にクランプにねじ山付きスリーブを設けることができるので、従来技術において必要であった、特別なナットの挿入が省略される。
【０００６】
長方形の開口への固定クランプの埋込みは問題なく行われる。このために、このクランプは、持ち上がった脚部が開口縁部の後方へ進入し、かつねじ山付きスリーブが、向かい側に位置する開口縁部に沿って通過するまで、前側の脚部によりまず開口に挿入される。次いで、後側の脚部がプレート縁部の手前に位置するまでクランプが押し上げられる。さらにクランプは、それまで押さえつけられていたばね脚部の端部が、後側の開口縁部ではね上げられ、これにより、固定クランプが、組み込まれた位置に固定されるまで前方へ摺動される。
【０００７】
この場合、クランプを横方向摺動されるように構成するためには、曲げ上げられたばねウェブの端部が反対方向に折り曲げられていると目的に適っている。
【０００８】
後側のクランプ脚部は、プレート縁部を越えて軽く押し上げられ得る程度にベースプレートに対して間隔を有しているので、本発明の別の特徴により、ねじ山付きスリーブと後側のクランプ脚部との間に、請求項２の特徴部に記載の別のばね脚部が成形されており、このばね脚部からほぼ半球状の球欠が突出していると有利である。この球欠は、支持プレートのプレート縁部に設けられた、対応する凹設部に対応配置されていてよい。この凹設部には、固定クランプの所定の組付け位置で球欠が係止できるようになっている。
【０００９】
図面には、次に詳しく説明する本発明による固定クランプの有利な実施例が示されている。
【００１０】
図面に示した固定クランプは、ねじを使用して異なった膨張特性を備えた複数のプレートを結合するために用いられる。この場合、前記クランプは、ばね鋼から成る長方形のベースプレート１から成っており、このベースプレート１は、中央に配置された、ねじをねじ嵌めるためのねじ山付きスリーブ２を備えている。図１の上側に示した、ベースプレート１の前側の横方向縁部３では、２つの横方向ウェブ５が、ねじ山付きスリーブ２と同じ方向へ曲げ上げられており、次いで、２つのクランプ脚部６が、スリーブ２から離れて、ベースプレート１に対して平行に折り曲げられており、両クランプ脚部６の間には、対応脚部７が横方向縁部３に一体成形されている。この対応脚部７は、まず短い長さにわたってクランプ脚部６の方へ軽く曲げられており、次いで、再び軽く曲げ戻されており、この場合に、折り縁部８と、向かい側に位置するクランプ脚部６との間の間隔“ａ”は、支持プレート１５の厚さ“ｄ”にほぼ等しく形成されている（図５参照）。
【００１１】
ベースプレート１の後側の横方向縁部４には、折り曲げられた横方向壁部９を介して、別のクランプ脚部１０が曲げ上げられており、このクランプ脚部１０は、前記前側のクランプ脚部６と同じ方向に向けられている。このクランプ脚部１０は、まず短い区分１０′を介してベースプレート１へ向かって軽く折り曲げられており、次いで第２の区分１０″を介して、前記ベースプレート１から急勾配に反れるように折り曲げられている。この場合、折り縁部１１とベースプレート１との間の間隔“ｂ”は、前側のクランプ脚部６における間隔“ａ”よりもわずかに大きく形成されている。
【００１２】
ねじ山付きスリーブ２の両側には、ベースプレート１から、長手方向縁部１２に沿ってばねウェブ１３が切り込まれており、後側のクランプ脚部１０の方へ斜めに曲げ上げられており、この場合に、終端範囲１４は、ベースプレート１の高さまでほぼ垂直方向に下方へ曲げられている。この場合に、終端範囲１４と、前側のクランプ脚部６の横方向ウェブ５との間の間隔“Ａ”が、長方形の開口１６の両方の長手方向縁部１７及び１８の間の内法間隔“Ｂ”よりも小さく形成されているよう注意すべきである（図５参照）。
【００１３】
固定クランプを長方形の開口１６へ組み込むためには、図５から判るように、まずクランプの前側のクランプ脚部６が先に下方から斜めに開口１６へ次のように挿入される、すなわち、クランプ脚部６が、開口１６の長手方向縁部１７の上方へ向けられており、かつ対応脚部７が長手方向縁部１７の下方へ向けられているように挿入される。次いで、クランプは、ねじ山付きスリーブ２が開口１６の後側の長手方向縁部１８を通過し、かつ後側のクランプ脚部１０がまだ外側のプレート縁部１９の手前に位置している状態まで挿入される。次いで、クランプはばねウェブ１３の力に抗して、後側のクランプ脚部１０がプレート縁部１９を越えて摺動され得るまで、後方で押し上げられる。前側の横方向ウェブ５が長手方向縁部１７に接触し、後側の横方向壁部９がプレート縁部１９に接触するやいなや、押さえつけられていたばねウェブ１３は、迅速に出発状態に戻り、折り曲げられた終端範囲１４によって後側の長手方向縁部１８に接触し、これにより、クランプは、両方の長手方向縁部１７，１８の間の孔で、二重矢印“Ｌ”の運動方向に長手方向摺動されるように案内されている（図４参照）。
【００１４】
後側のクランプ脚部１０と、ベースプレート１との間に存在する後側のプレート縁部１９の遊びを補償するためには、ねじ山付きスリーブ２と後方側のクランプ脚部１０との間に、ベースプレート１の中央から外側へ、別のばねウェブ２１が打抜き加工されており、後側のクランプ脚部１０と同じ方向に軽く曲げ上げられている。前記ウェブ２１のばね弾性的に負荷可能な自由な端部２２に設けられたほぼ半球状の球欠２３が、クランプ脚部１０の方向へ押圧される。前記ばねウェブ２１によって、クランプの、後側のクランプ脚部１０の範囲は、プレート縁部１９で遊びなしに保持される。
【００１５】
図３から判るように、有利には、プレート縁部１９には、クランプの所定の組付け位置に、対応する凹設部２４が位置しており、この凹設部２４には、前記球欠２３がばね弾性的に係止できるようになっており、これにより、クランプはこの位置で形状接続的に保持される。しかしながら、膨張力の発生時には、前記球欠２３は凹設部２４から飛び出し、固定クランプは矢印方向“Ｌ”に逃れることができるようになっている。
【図面の簡単な説明】
【００１６】
【図１】固定クランプの側面図である。
【図２】同じ固定クランプの平面図である。
【図３】長方形の開口を備えた支持プレートを下方から見た斜視図である。
【図４】支持プレートの開口に挿入された固定クランプの斜視図である。
【図５】横断面図で示した支持プレートの長方形の開口へのクランプの組付けを示す図である。
【図６】組み付けられた固定クランプを備えた支持プレート及び結合するためにクランプに載置された第２のプレートを示す図である。
【符号の説明】
【００１７】
１  ベースプレート、  ２  ねじ山付きスリーブ、  ３  前側の横方向縁部、  ４  後側の横方向縁部、  ５  横方向ウェブ、  ６  クランプ脚部、  ７  対応脚部、  ８  折り縁部、９  横方向壁部、  １０  クランプ脚部、  １１  折り縁部、  １２  長手方向縁部、  １３  ばねウェブ、  １４  終端範囲、  １５  支持プレート、  １６  長方形の開口、  １７  長手方向縁部、  １８  長手方向縁部、  １９  プレート縁部、  ２０  対応プレート、  ２１  ばねウェブ、  ２２  ばね負荷可能な端部、  ２３  球欠、２４  プレート縁部の凹設部
【国際公開パンフレット】
2005507482.tif 000003
2005507482.tif 000004
2005507482.tif 000005
2005507482.tif 000006
2005507482.tif 000007
2005507482.tif 000008
2005507482.tif 000009
2005507482.tif 000010
2005507482.tif 000011
2005507482.tif 000012
【国際調査報告】
2005507482.tif 000013
2005507482.tif 000014
2005507482.tif 000015
2005507482.tif 000016
2005507482.tif 000017
2005507482.tif 000018